(57)【要約】      （修正有） 【課題】従来よりも長期に渡って水を浄化するとともに水の硬度を安定させることができ、水生生物の飼育における負担を大幅に軽減することができる所定の水槽に入った水槽用敷石を提供する。【解決手段】マグネシウムと黒砂と五色石と珪砂と炭（黒色）とを混合し、所定の水槽６に入った水槽用敷石５の構成とした。さらに、マグネシウムを粒状及び球体状マグネシウムとしたことを特徴とする水槽用敷石の構成とした。加えて、前記黒砂、五色石及び珪砂を、磁気を帯びていない黒砂、五色石及び珪砂としたことを特徴とする水槽用敷石の構成とした。【選択図】図５
0003191482.tif 000002
【実用新案登録請求の範囲】
【請求項１】
マグネシウムと黒砂と五色石と珪砂と炭（黒色）とを混合してなることを特徴とする水槽用敷石。
【請求項２】
前記マグネシウムを、粒状及び球体状に形成した粒状及び球体状マグネシウムとしたことを特徴とする請求項１に記載の水槽用敷石。
【請求項３】
前記マグネシウムを、一昼夜水に浸漬したマグネシウムとしたことを特徴とする請求項１又は２に記載の水槽用敷石。
【請求項４】
混合した前記粒状及び球体状マグネシウムの重量を、水槽用敷石の総重量５，２５２ｇの内、１５ｇから２０ｇとしたことを特徴とする請求項２の水槽用敷石。
【請求項５】
前記黒砂、五色石及び珪砂を、磁気を帯びていない黒砂、五色石及び珪砂としたことを特徴とする請求項１〜請求項４のいずれか１項に記載の水槽用敷石。
【考案の詳細な説明】
【技術分野】
【０００１】
本考案は、水生生物特に魚類や水草類を飼育する水槽の底等に敷いて使用する水槽用敷石に関する考案である。
【背景技術】
【０００２】
図６に示すように、従来、水槽８内に水生生物、例えば、魚類１１や水草１１ａを飼育する際には、水槽８の底に砂、砂利や小石１０を敷き詰めていた。水槽８中の水８ａの汚れを浄化するためにバクテリアを繁殖させたり浄化剤を使用したりしていた。
【０００３】
しかしながら、従来のような水槽８内で魚類１１や水草１１ａを飼育する方法では、長期的に水８ａを綺麗に保つことはできず、月に１度、また、飼育魚類１１の数や水草１１ａの量によっては、週に１度の間隔で水槽の清掃をしなければ苔や藻９〜９ｃが水槽８内の水８ａや水槽８の水槽内壁面８ｂに発生してしまい極めて手間のかかるものであった。
【０００４】
また、水槽８内の魚類１１にとっては、水の浄化とともに水の硬度（ＧＨ値）を安定させることが大切であるため、苔や藻９、９ａの発生を抑制することに重点を置いてしまうと、魚類１１に適したＧＨ値を維持することが難しくなり、これを解消するために別途ＧＨ値を整える調整剤を使用しなければならず、やはり手間のかかるものであった。
【先行技術文献】
【特許文献】
【０００５】
【特許文献１】特開平１０−９８９７９号公報
【考案の概要】
【考案が解決しようとする課題】
【０００６】
そこで、本考案である水槽用敷石５は、従来よりも長期に渡って水を浄化するとともに水の硬度（ＧＨ値）を安定させることができ、水生生物の飼育における負担を大幅に軽減することができる水槽用敷石を提供する。
【課題を解決するための手段】
【０００７】
本考案は、上記の課題を解決するために、マグネシウムと黒砂と五色石と珪砂と炭（黒色）とを混合したことを特徴とする水槽用敷石、マグネシウムを粒状又は球状に形成した水槽用敷石、前記マグネシウムを一昼夜水に浸漬したことを特徴とする水槽用敷石、前記粒状マグネシウムを０．０１５Ｋｇ〜０．０２Ｋｇ（０．５９％〜０．７９％）としたことを特徴とする水槽用敷石及び前記マグネシウムの大きさを直径１ｃｍから１．５ｃｍとしたことを特徴とする水槽用敷石とした。
【考案の効果】
【０００８】
本考案は、上記のような構成であるため、長期間に渡ってマグネシウムから水素が発生して水を浄化するため苔や藻の発生を抑制することができ、水の取り替え等の水槽内の頻繁な清掃の負担を軽減することができる。
【０００９】
また、図５に示すように、本願考案である水槽用敷石５は、同時に水の硬度（ＧＨ値）を安定させるため、水槽６内で飼育されている魚類１１や水草１１ａが活き活きとしている。そして、水槽６内に飼育されている魚類１１をも長生きさせることができる。
【００１０】
更に、本考案である水槽用敷石５を水槽６の底７に敷き詰めることにより水槽内壁面６ａに苔や藻９、９ａが発生して付着しないために、水槽内壁面６ａが常時透き通っているので水槽内の魚類を何時も外側から良く見えて観賞するには最も良い状態を保持させることができる。
【図面の簡単な説明】
【００１１】
【図１】本考案である水槽用敷石の製造及びその使用効果を示したフローチャートである。
【図２】本願考案である水槽用敷石を製造するための原材料を示した図である。
【図３】本願考案の水槽用敷石の原材料である粒状及び球体状マグネシウムを一昼夜浸漬している状態を示した図である。
【図４】本考案である水槽用敷石の原材料を混合した状態を示した図である。
【図５】本考案である水槽用敷石を使用した水槽を示す図である。
【図６】従来の水槽の様子を示す図である。
【考案を実施するための形態】
【００１２】
以下、添付の図面を参照し、本考案の実施の形態について詳細に説明する。図１は本考案である水槽用敷石の製造及びその使用効果等を示したフローチャート、図２は本願考案である水槽用敷石を製造するための原材料を示した図、図３は本願考案の水槽用敷石の原材料である粒状及び球体状マグネシウムを一昼夜浸漬している状態を示した図、図４は本考案である水槽用敷石の原材料を混合した状態を示した図、図５は本考案である水槽用敷石を使用した水槽を示す図である。
【実施例１】
【００１３】
図１は、本考案である水槽用敷石の製造及びその使用効果を示したフローチャート１である。図に示すように、本願考案である水槽用敷石５は、黒砂５ａ、五色石５ｂ、 珪砂５ｃ、粒状及び又は球体状に形成した粒状及び球体状マグネシウム５ｄと炭（黒色）５ｅを混合したものであり、図１に示す工程で製造される。即ち、準備工程１ａ、加工工程１ｂ、浸漬工程１ｃ及び混合工程１ｄの各工程を経て製造する。
【００１４】
準備工程１ａとは、本願考案である水槽用敷石５に用いられる材料を用意する工程である。即ち、本願考案である水槽用敷石５の材料として使用するために準備するのは、黒砂５ａ、五色石５ｂ、珪砂５ｃ、炭（黒色）５ｅ及び粒状及び球体状マグネシウム５ｄ等である。
【００１５】
黒砂５ａ、五色石５ｂ及び珪砂５ｃは、日本玉石株式会社（東京都板橋区高島平７−１３−８）製造販売している砂及び石を使用する。そして、炭（黒色）５ｅは、関東燃料組合（群馬県前橋市二之宮）が製造販売している炭（黒色）を使用する。
【００１６】
上記、黒砂５ａ、五色石５ｂ、珪砂５ｃは、磁気を帯びていない石又は砂であることが必要である。即ち、準備した黒砂５ａ、五色石５ｂ、珪砂５ｃをそのまま使用することは出来ない。
【００１７】
本願考案である水槽用敷石５として使用するためには、準備した所定量の黒砂５ａ、五色石５ｂ、珪砂５ｃの各々に磁石を入れて入れた磁石に磁着を帯びている黒砂５ａ、五色石５ｂ、珪砂５ｃから磁石に磁着する砂及び石は取り除き、磁石に磁着しない黒砂５ａ、五色石５ｂ、珪砂５ｃのみを本願考案である水槽用敷石５の原材料に使用する。
【００１８】
また、準備する粒状及び球体状マグネシウム５ｄは、マグネシウム自体の純度が９５％から９９．９５％であることが必要である。最も好ましい純度は、９９．９５％以上であることが良い。これは、純度が高いほど水を浄化する働きが強くしかも浄化作用も長いからである。
【００１９】
加工工程１ｂとは、前記準備工程１ａで準備した粒状及び球体状マグネシウム５ｄを一定の大きさの粒状及び球体状のマグネシウムに加工処理する工程である。
【００２０】
粒状とは、直方体形状、楕円形状、立方体状等の粒に成形されたマグネシウムの粒であり、大きさは長さ又は径等が約４ｍｍ乃至１０ｍｍに成形した粒状マグネシウムである。球体状とは、球体状に成形されたマグネシウムの粒である。球体状の粒の大きさは、径が約４ｍｍから１０ｍｍの大きさに成形された球体状マグネシウムの粒である。
【００２１】
浸漬工程１ｃとは、マグネシウムが加工処理されて粒状及び球体状マグネシウム５ｄを、図３に示すように容器２に入れた後に粒状及び球体状マグネシウム５ｄの全てが水面下３になるまで水道水４を容器２内に入れる。
【００２２】
そして、浸漬させた状態で一昼夜即ち２４時間浸漬させて置く。水道水４は常温で良い。勿論、水は、水道水以外の純水に浸漬させてもよいし、また純水ではなく井戸水に粒状及び球体状マグネシウムを浸漬させても良い。
【００２３】
混合工程１ｄとは、本願考案である水槽用敷石の材料として準備した黒砂５ａ、五色石５ｂ、珪砂５ｃ、炭（黒色）５ｅ及び加工処理した粒状及び球体状マグネシウム５ｄとを一定割合で混合する工程である。
【００２４】
磁気を帯びていない黒砂５ａ、五色石５ｂ、珪砂５ｃ、炭（黒色）５ｅ及び粒状及び球体状マグネシウム５ｄの混合比率は下記の通りである。即ち、本願考案である水槽用敷石５を１袋１．６２Ｋｇ入り〜３．６５Ｋｇ入りの水槽用敷石５を製造する場合の混合比率を示したものである。
【００２５】
本願考案である水槽用敷石５を製造するには、
（１）黒砂５ａを０．３Ｋｇ〜０．８Ｋｇ、
（２）五色石５ｂを０．３Ｋｇ〜０．８Ｋｇ、
（３）珪砂５ｃを１．０Ｋｇ〜２Ｋｇ、
（４）粒状及び球体状マグネシウム５ｄを０．０１５Ｋｇ〜０．０２Ｋｇ、
（５）炭（黒色）５ｅを０．０１Ｋｇ〜０．０３Ｋｇ
を混合する。  
【００２６】
しかしながら、本願考案である水槽用敷石５を製造する場合に、黒砂５ａ、五色石５ｂ、珪砂５ｃ、粒状及び球体状マグネシウム５ｄ及び炭（黒色）５ｅ等の混合比率が最も好ましい水槽用敷石５は下記の水槽用敷石である。
【００２７】
（１）黒砂５ａ          ０．５    Ｋｇ（  ５００ｇ）（１９．８０％）
（２）五色石５ｂ        ０．５    Ｋｇ（  ５００ｇ）（１９．８０％）
（３）珪砂５ｃ          １．５    Ｋｇ（１５００ｇ）（５９．４０％）
（４）粒状及び球体状マグネシウム５ｄ  
０．０１５Ｋｇ（    １５ｇ）（  ０．５９％）
（５）炭（黒）          ０．０１０Ｋｇ（    １０ｇ）（  ０．３９％）
【００２８】
粒状及び球体状マグネシウム５ｄと黒砂５ａ、五色石５ｂ、珪砂５ｃ、炭（黒色）５ｅを混合し、その総重量５．２５２Ｋｇに対して粒状及び球体状マグネシウム５ｄは１５ｇ〜２０ｇを混合させることが良い。また、粒状及び球体状マグネシウム５ｄの大きさを直径０．４ｍｍ〜１５ｍｍの大きさの粒状及び球体状マグネシウムとするとより良いが、最適な大きさは、４ｍｍ〜１０ｍｍの大きさが最も良い効果が得られる。
【００２９】
敷詰工程１ｅとは、粒状及び球体状マグネシウム５ｄと黒砂５ａ、五色石５ｂ、珪砂５ｃ、炭（黒色）５ｅが混合して製造された水槽用敷石５を水槽６の底７に敷き詰める工程である。このように、水槽６の底７に敷き詰めて使用する。敷き詰めした混合水槽用敷石５の間隙の上に水草１１ａ等を植え付けることもできる。
【００３０】
ここで、重要なことは、粒状及び球体状マグネシウム５ｄと炭（黒色）５ｅ以外の 黒砂５ａ、五色石５ｂ及び珪砂５ｃは、磁石は、磁石を近づけても磁石に磁着することがない砂、石である。即ち、磁石に磁着しない黒砂５ａ、五色石５ｂ及び珪砂５ｃのみを用いることが大切である。
【００３１】
水素発生工程１ｆとは、水槽６の底７に敷き詰められた水槽用敷石５から水素が発生する工程である。敷き詰められて水槽用敷石５の粒状及び球体状マグネシウム５ｄからは自然に水素が発生し、発生した水素により水槽６内の水が浄化される。
【産業上の利用可能性】
【００３２】
本考案である水槽用敷石５は、長期間に渡って水を浄化し続け、硬度（ＧＨ値）を安定させるため水槽内を清掃する手間を省くことができ、水生生物を扱うペット業界及び水生生物愛好者に多大な貢献をもたらす。
【符号の説明】
【００３３】
１        水槽用敷石の製造及びその使用効果を示したフローチャート
１ａ      準備工程
１ｂ      加工工程
１ｃ      浸漬工程
１ｄ      混合工程
１ｅ      敷詰工程
１ｆ      水素発生工程
２        容器
３        水面下
４        水道水
５        水槽用敷石
５ａ      黒砂
５ｂ      五色石
５ｃ      珪砂
５ｄ      粒状及び球体状マグネシウム
５ｅ      炭（黒色）
６        水槽
６ａ      水槽内壁面
７        底
８        水槽
８ａ      水
８ｂ      水槽内壁面
９〜９ｃ  苔や藻
１０      砂利や小石
１１      魚類
１１ａ    水草
【図１】
0003191482.tif 000003
【図２】
0003191482.tif 000004
【図３】
0003191482.tif 000005
【図４】
0003191482.tif 000006
【図５】
0003191482.tif 000007
【図６】
0003191482.tif 000008
【手続補正書】
【提出日】平成26年4月24日(2014.4.24)
【手続補正１】
【補正対象書類名】実用新案登録請求の範囲
【補正対象項目名】全文
【補正方法】変更
【補正の内容】
【実用新案登録請求の範囲】
【請求項１】
マグネシウムと黒砂と五色石と珪砂と炭とを混合してなることを特徴とする所定の水槽に入った水槽用敷石。
【請求項２】
前記マグネシウムを、粒状及び球体状に形成した粒状及び球体状マグネシウムとしたことを特徴とする請求項１に記載の所定の水槽に入った水槽用敷石。
【請求項３】
前記マグネシウムを、一昼夜水に浸漬したマグネシウムとしたことを特徴とする請求項１又は請求項２に記載の所定の水槽に入った水槽用敷石。
【請求項４】
混合した前記粒状及び球体状マグネシウムの重量を、水槽用敷石の総重量５，２５２ｇの内、１５ｇから２０ｇとしたことを特徴とする請求項２に記載の所定の水槽に入った水槽用敷石。
【請求項５】
前記黒砂、五色石及び珪砂を、磁気を帯びていない黒砂、五色石及び珪砂としたことを特徴とする請求項１〜請求項４のいずれか１項に記載の所定の水槽に入った水槽用敷石。